(57)【特許請求の範囲】
【請求項１】
蓋本体と、
前記蓋本体の内側面に接続される蓋板アセンブリと、を含み、
前記蓋板アセンブリは、
前記蓋本体に接続される蓋板と、
前記蓋板に設けられ蒸気出口を有する蒸気弁座と、
前記蒸気出口をカバーして設けられる蒸気弁蓋と、
第１位置と第２位置との間で移動可能である位置制限部材であって、前記位置制限部材は、前記蒸気弁蓋が前記蒸気出口をカバーしていない場合、前記第１位置に位置し、且つ前記蒸気弁蓋が前記蒸気出口をカバーしている場合、前記第２位置に位置し、前記位置制限部材は、前記第１位置に位置する場合、前記蓋本体への前記蓋板の取り付けをストップし、前記第２位置に位置する場合、ストップを解除する位置制限部材と、
前記第１位置へ移動するように前記位置制限部材を付勢する弾性部材と、
前記蒸気弁座及び前記蓋板の少なくとも一方に接続された位置決め部材と、を備え、
前記位置制限部材が前記第１位置に位置する場合、前記弾性部材及び前記位置決め部材の間に前記位置制限部材を当接させることで、前記弾性部材及び前記位置決め部材で共同して前記位置制限部材を前記第１位置に位置決めし、
前記蒸気弁蓋が前記蒸気出口をカバーしている場合、前記蒸気弁蓋が前記位置制限部材に接続されることで、前記弾性部材の付勢力に逆らって、前記位置制限部材を前記第２位置に固定すること
を特徴とする調理器具用蓋。
【請求項２】
前記蒸気弁蓋と前記蒸気弁座とが密封接続され、前記蒸気弁蓋の外周縁に第１フック部が形成され、前記位置制限部材は、前記蒸気弁座に回転可能に接続され且つ第２フック部を有し、前記第２フック部は、前記第１フック部と互いに係合する第２位置と、前記第１フック部と互いに離間する第１位置との間で切り替え可能である、
ことを特徴とする請求項１に記載の調理器具用蓋。
【請求項３】
前記位置制限部材と前記蒸気弁座との一方には回転軸が形成され、他方には前記回転軸とマッチングする回転軸孔が形成され、前記位置制限部材は前記蒸気弁座の軸孔と結合する、
ことを特徴とする請求項１又は２に記載の調理器具用蓋。
【請求項４】
前記蒸気弁蓋には、前記第１フック部に隣接して設けられ且つ前記蒸気弁座の上面に対向する環状凹溝が形成され、前記蒸気弁蓋と前記蒸気弁座とが密封接続されるように、前記環状凹溝内にシールリブが設けられる、
ことを特徴とする請求項２に記載の調理器具用蓋。
【請求項５】
前記蒸気弁蓋の下面には、下向きに伸びる環状ビードが形成され、前記環状ビードと前記蒸気弁蓋の内周縁との間には前記環状凹溝が画定される、
ことを特徴とする請求項４に記載の調理器具用蓋。
【請求項６】
前記位置制限部材は、
本体部と、
前記本体部の一端に設けられ前記蒸気弁座に接続される弾性アームと、をさらに含む、
ことを特徴とする請求項２〜５のいずれか１項に記載の調理器具用蓋。
【請求項７】
前記蒸気弁座の外壁にリブ板が形成され、前記第２位置で、前記弾性アームの自由端が前記リブ板に当接する、
ことを特徴とする請求項６に記載の調理器具用蓋。
【請求項８】
前記リブ板にさらに軸部が設けられ、前記第２位置で、前記弾性アームの自由端が前記軸部に当接する、
ことを特徴とする請求項７に記載の調理器具用蓋。
【請求項９】
前記位置制限部材と前記蒸気弁座との間にさらにリセット部材が設けられ、前記リセット部材は、前記位置制限部材が前記第２位置から前記第１位置にリセットされるのに必要な力を提供する、
ことを特徴とする請求項２〜８のいずれか１項に記載の調理器具用蓋。
【請求項１０】
前記位置制限部材に第１係合部が設けられ、前記蒸気弁蓋に第２係合部が設けられ、前記蒸気弁蓋が前記蒸気出口をカバーしている場合、前記第１係合部は前記第２係合部と互いに係合する、
ことを特徴とする請求項１から請求項９のうち、いずれか一項に記載の調理器具用蓋。
【請求項１１】
前記第１係合部に係合溝が形成され、前記第２係合部は前記蒸気弁蓋の縁部に設けられる係合フックである、
ことを特徴とする請求項１０に記載の調理器具用蓋。
【請求項１２】
前記位置制限部材は、前記第１位置と前記第２位置との間で回転可能である、
ことを特徴とする請求項１０又は請求項１１に記載の調理器具用蓋。
【請求項１３】
前記位置制限部材は、軸ロッドと軸孔との結合により回転し、前記弾性部材は前記軸ロッドに嵌合されたねじりバネであり、前記ねじりバネは第１支持アーム及び第２支持アームを有し、前記第１支持アームは前記位置制限部材に当接し、前記第２支持アームは前記蒸気弁座又は前記蓋板に当接する、
ことを特徴とする請求項１２に記載の調理器具用蓋。
【請求項１４】
前記蒸気弁座又は蓋板に凹溝が設けられ、前記第２支持アームが前記凹溝内に係合される、
ことを特徴とする請求項１３に記載の調理器具用蓋。
【請求項１５】
前記位置制限部材は、
前記蓋板をストップするための主体部と、
前記蒸気弁座又は蓋板に接続され、前記第１支持アームが引っ掛けられる接続脚と、を含む、
ことを特徴とする請求項１３又は請求項１４に記載の調理器具用蓋。
【請求項１６】
前記蓋本体の内側面に取り付け溝が設けられ、前記蒸気弁蓋及び前記蒸気弁座が前記取り付け溝内に伸び、前記位置制限部材は第１位置に位置する場合、前記取り付け溝の縁部と当接することによって前記蓋板の取り付けをストップし、且つ前記第２位置に位置する場合、前記蓋板の取り付け中に、前記蓋本体と干渉せずストップを解除する、
ことを特徴とする請求項１０から請求項１５のうち、いずれか一項に記載の調理器具用蓋。
【請求項１７】
鍋本体と、
前記鍋本体をカバーして設けられる請求項１から請求項１６のうち、いずれか一項に記載の調理器具用蓋と、を含む、
ことを特徴とする調理器具。
【請求項１８】
前記調理器具は、炊飯器である、
ことを特徴とする請求項１７に記載の調理器具。
【発明の詳細な説明】
【技術分野】
【０００１】
本発明は家電製品の技術分野に関し、特に調理器具用蓋及びそれを含む調理器具に関する。
【背景技術】
【０００２】
関連技術において、外観構造の必要に応じて、炊飯器に内蔵式蒸気弁構造が設計される。即ち、蒸気弁と可動蓋板アセンブリを一体構造として設計することによって、蒸気弁キャビティ全体を上蓋アセンブリに内蔵する。この内蔵式蒸気弁構造では、蒸気弁キャビティの高い密閉性が求められる。蒸気弁に漏れが発生する場合、上蓋アセンブリ全体に水蒸気が入り、炊飯器の性能に影響を与える。
【０００３】
ユーザのニーズを満たすために、弁蓋は一般に、取り外し可能な構造として製造され、ユーザが蒸気弁キャビティを容易に洗浄できる。しかしながら、ユーザが洗浄する時、蒸気弁蓋の取り付けを忘れた場合、この内蔵式蒸気弁は完全に漏れてしまう。内蔵式蒸気弁構造について、弁蓋の取り付けを忘れる確率は非常に高い。
【発明の概要】
【０００４】
本発明の目的は関連技術における技術的課題を少なくともある程度で解決することである。そのため、本発明の１つの目的は蒸気弁蓋の取り付けを忘れるという課題を解決し、使用上の安全性を向上させる調理器具用蓋を提供することである。
【０００５】
本発明は上記調理器具用蓋を含む調理器具をさらに提供する。
【０００６】
本発明の第一態様の実施例に係る調理器具用蓋であって、蓋本体と、前記蓋本体の内側面に接続された蓋板アセンブリとを含む。前記蓋板アセンブリは、前記蓋本体に接続された蓋板と、前記蓋板に設けられ蒸気出口を有する蒸気弁座と、前記蒸気出口をカバーして設けられる蒸気弁蓋と、第１位置と第２位置との間で移動可能である位置制限部材であって、前記位置制限部材は、前記蒸気弁蓋が前記蒸気出口をカバーしていない場合、前記第１位置に位置し、且つ前記蒸気弁蓋が前記蒸気出口をカバーしている場合、前記第２位置に位置し、前記位置制限部材は、前記第１位置に位置する場合、前記蓋本体への前記蓋板の取り付けをストップし、前記第２位置に位置する場合、ストップを解除する位置制限部材とを含む。
【０００７】
本発明の実施例に係る調理器具用蓋は蒸気弁蓋の取り付けを注意させる機能を有し、蒸気弁蓋の取り付け忘れを効果的に防止する。
【０００８】
また、本発明の上記実施例に係る調理器具用蓋はさらに以下の追加の技術的特徴を有する。
【０００９】
本発明のいくつかの実施例によれば、前記蒸気弁蓋と前記蒸気弁座とは密封接続され、前記蒸気弁蓋の外周縁に第１フック部が形成され、前記位置制限部材は前記蒸気弁座に回転可能に接続され且つ第２フック部を有し、前記第２フック部は、前記第１フック部と互いに係合する第２位置と、前記第１フック部と互いに離間する第１位置との間で切り替え可能である。
【００１０】
本発明のいくつかの実施例によれば、前記位置制限部材と前記蒸気弁座との一方には回転軸が形成され、他方には前記回転軸とマッチングする回転軸孔が形成され、前記位置制限部材は前記蒸気弁座の軸孔と嵌合する。
【００１１】
本発明のいくつかの実施例によれば、前記蒸気弁蓋には前記第１フック部に隣接して設けられ且つ前記蒸気弁座の上面に対向する環状凹溝が形成され、前記蒸気弁蓋と前記蒸気弁座とが密封接続されるように、前記環状凹溝内にシールリブが設けられる。
【００１２】
さらに、前記蒸気弁蓋の下面には下向きに伸びる環状ビードが形成され、前記環状ビードと前記蒸気弁蓋の内周縁との間には前記環状凹溝が画定される。
【００１３】
本発明のいくつかの実施例によれば、前記位置制限部材は、さらに本体部と、前記本体部の一端に設けられて前記蒸気弁座に接続される弾性アームとを含む。
【００１４】
さらに、前記蒸気弁座の外壁にリブ板が形成され、前記第２位置では、前記弾性アームの自由端が前記リブ板に当接する。
【００１５】
さらに、前記リブ板にさらに軸部が設けられ、前記第２位置では、前記弾性アームの自由端が前記軸部に当接する。
【００１６】
本発明のいくつかの実施例によれば、前記位置制限部材と前記蒸気弁座との間にさらにリセット部材が設けられ、前記リセット部材は、前記位置制限部材が前記第１位置から前記第２位置にリセットされるのに必要な力を提供する。
【００１７】
本発明のいくつかの実施例によれば、前記蓋板アセンブリはさらに弾性部材を含み、前記位置制限部材を駆動して前記第１位置へ移動するように、前記弾性部材が前記位置制限部材に接続され、前記蒸気弁蓋が前記蒸気出口をカバーしている場合、前記位置制限部材が前記第２位置に位置するように、前記蒸気弁蓋が前記位置制限部材に接続される。
【００１８】
さらに、前記位置制限部材に第１係合部が設けられ、前記蒸気弁蓋に第２係合部が設けられ、前記蒸気弁蓋が前記蒸気出口をカバーしている場合、前記第１係合部は前記第２係合部と互いに係合する。
【００１９】
さらに、前記第１係合部に係合溝が形成され、前記第２係合部は前記蒸気弁蓋の縁部に設けられた係合フックである。
【００２０】
本発明のいくつかの実施例では、前記蓋板アセンブリは、さらに位置決め部材を含み、前記位置決め部材は前記蒸気弁座及び前記蓋板の少なくとも一方に接続され、前記位置制限部材は前記第１位置に位置する場合、前記弾性部材と前記位置決め部材との間に当接する。
【００２１】
さらに、前記位置制限部材は前記第１位置と前記第２位置との間で回転可能である。
【００２２】
さらに、前記位置制限部材は軸ロッドと軸孔との結合により回転し、前記弾性部材は前記軸ロッドに嵌合されたねじりバネであり、前記ねじりバネは第１支持アーム及び第２支持アームを有し、前記第１支持アームは前記位置制限部材に当接し、前記第２支持アームは前記蒸気弁座又は前記蓋板に当接する。
【００２３】
具体的には、前記蒸気弁座又は蓋板に凹溝が設けられ、前記第２支持アームが前記凹溝内に係合される。
【００２４】
本発明のいくつかの実施例によれば、前記位置制限部材は、前記蓋板をストップするための主体部と、前記蒸気弁座又は蓋板に接続され、前記第１支持アームが引っ掛けられる接続脚とを含む。
【００２５】
必要に応じて、前記蓋本体の内側面に取り付け溝が設けられ、前記蒸気弁蓋及び前記蒸気弁座は前記取り付け溝内に伸び、前記位置制限部材は第１位置に位置する場合、前記取り付け溝の縁部と当接することによって前記蓋板の取り付けをストップし、且つ前記第２位置に位置する場合、前記蓋板の取り付け中に、前記蓋本体と干渉せずストップを解除する。
【００２６】
本発明の第２態様の実施例に係る調理器具であって、本発明の実施例に係る調理器具用蓋を含む。
【００２７】
必要に応じて、前記調理器具は炊飯器である。
【００２８】
本発明の追加の態様及び利点は、以下の説明において部分的に説明され、その一部は、以下の説明から明らかになるか、又は本発明を実施することにより把握できる。
【図面の簡単な説明】
【００２９】
本発明の上記及び／又は追加の態様及び利点は図面を参照して実施例を説明することによって明らかになり、且つ容易に理解される。
【００３０】
【図１】本発明の１つの実施例に係る調理器具の概略図である。
【図２】図１における線Ｐ−Ｐに沿った断面図の部分概略図であり、図示された構造では、蒸気弁座に蒸気弁蓋又はシールリブが配置されていない。
【図３】図２で示される部分の部分拡大図である。
【図４】図２の図１における線Ｐ−Ｐに沿った断面図の部分概略図であり、図示された構造では、蒸気弁座に蒸気弁蓋及びシールリブが配置されている。
【図５】図４で示される部分の部分拡大図である。
【図６】本発明のもう１つの実施例に係る調理器具用蓋の組立構造の概略図であり、蒸気弁蓋が配置されておらず、且つ位置制限部材は第１位置に位置する。
【図７】図６で示される部位Ａの構造の拡大概略図である。
【図８】は本発明のもう１つの実施例に係る調理器具用蓋の組立構造の概略図であり、蒸気弁蓋が配置され且つ位置制限部材は第２位置に位置する。
【図９】図８で示される部位Ｂの構造の拡大概略図である。
【図１０】本発明のもう１つの実施例に係る調理器具用蓋の蓋板アセンブリの構造概略図であり、蒸気弁蓋が配置され且つ位置制限部材は第２位置に位置する。
【図１１】図１０で示される部位Ｃの構造の拡大概略図である。
【図１２】本発明のもう１つの実施例に係る調理器具用蓋の蓋板アセンブリの構造概略図であり、蒸気弁蓋が配置されておらず、且つ位置制限部材は第１位置に位置する。
【図１３】図１２で示される部位Ｄの構造の拡大概略図である。
【図１４】本発明のもう１つの実施例に係る調理器具用蓋の蓋板アセンブリの構造概略図であり、蒸気弁蓋及び位置制限部材が配置されていない。
【図１５】図１４で示される部位Ｅの構造の拡大概略図である。
【図１６】本発明のもう１つの実施例に係る調理器具用蓋の位置制限部材の構造概略図である。
【図１７】本発明のもう１つの実施例に係る調理器具用蓋の弾性部材の構造概略図である。
【発明を実施するための形態】
【００３１】
以下、本発明の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本発明を解釈するためのものにすぎず、本発明を制限するものとして理解すべきではない。
【００３２】
関連技術において、調理器具用蓋にポカよけ機構がない。使用時、ユーザが調理器具用蓋を洗浄した後に、蒸気弁蓋又はシールリブの取り付けを忘れたとしても、依然として蓋を正常に閉じることができ、動作中に蒸気漏れ又は重湯のこぼれが生じる。このため、本発明はポカよけ機構が設けられた調理器具用蓋を提供する。
【００３３】
以下に図面を参照しながら本発明の実施例に係る調理器具用蓋１００を説明する。
【００３４】
図１〜図１７に示すとおり、本発明の実施例に係る調理器具用蓋１００は、蓋本体１０と、蓋本体１０の内側面に接続された蓋板アセンブリ２０とを含む。蓋本体１０の内側面は蓋本体１０の調理器具の鍋本体に向かう一側面として理解することができる。
【００３５】
蓋板アセンブリ２０は可動蓋板アセンブリ２０であってもよい。即ち、ユーザは蓋板アセンブリ２０を容易に取り外して洗浄できるように、蓋板アセンブリ２０が蓋本体１０に取り外し可能に取り付けられる。例えば、蓋板アセンブリ２０は係合方法で蓋本体１０に取り付けられてもよい。これは当業者には理解される。
【００３６】
蓋板アセンブリ２０は、蓋板２１、蒸気弁座２２、蒸気弁蓋２３及び位置制限部材２４を含むことができる。蓋板２１は例えば、係合方式によって蓋本体１０に接続することができる。蒸気弁座２２は蓋板２１に設けられ、且つ蒸気出口２２０を有する。蒸気弁蓋２３は蒸気出口２２０に敷設される。必要に応じて、蒸気出口２２０は蓋板２１の内側面に対向することができる。位置制限部材２４は第１位置と第２位置との間で移動可能である。図２及び図６に示すとおり、蒸気弁蓋２３が蒸気出口２２０に敷設されていない場合、位置制限部材２４は第１位置に位置する。この場合、位置制限部材２４は蓋板２１の蓋本体１０への取り付けをストップする。図４及び図８に示すとおり、蒸気弁蓋２３が蒸気出口２２０に敷設されている場合、位置制限部材２４は第２位置に位置する。この場合、位置制限部材２４は蓋板２１の取り付けをストップせず、蓋板２１へのストップを解除し、蓋板２１を蓋本体１０の所定の位置に取り付けることができる。
【００３７】
それにより、蒸気弁蓋２３の取り付け状況に応じて位置制限部材２４の位置を制御することができる。また、位置制限部材２４の位置に応じて、蓋板２１をストップするか又はストップしない。さらに、蓋板２１が蓋本体１０に取り付けられるか否かを決定する。蒸気弁蓋２３が取り付けられた場合、蓋板２１を取り付け、蒸気弁蓋２３が取り付けられていない場合、蓋板２１を取り付けないことを実現することができる。このように、調理器具用蓋１００は蒸気弁蓋２３の取り付けを防止するポカよけ機構を形成することができる。蒸気弁蓋２３が取り付けられていない場合、蓋板２１を所定の位置に取り付けることができない。それによって、蒸気弁蓋２３を取り付けるように操作者に効果的に注意させ、関連技術に存在している蒸気弁蓋２３の取り付けが漏れるという課題を効果的に解決することができる。
【００３８】
本発明の実施例に係る調理器具用蓋１００であって、蒸気弁蓋２３が取り付けられていない場合、蓋板２１の取り付けをストップするように、位置制限部材２４を第１位置にする。蒸気弁蓋２３が取り付けられた場合、蓋板２１へのストップを解除するように、位置制限部材２４を第２位置にする。調理器具用蓋１００は蒸気弁蓋２３の取り付け忘れを注意させる機能を有し、蒸気弁蓋２３の取り付け忘れを効果的に防止する。
【００３９】
図１は本発明の実施例に係る調理器具２００の概略図である。以下に図２〜図５を参照しながら本発明の１つの実施例に係る調理器具用蓋１００の具体的な実施例を説明する。
【００４０】
本発明の１つの実施例に係る調理器具用蓋１００であって、主に蒸気弁座２２、蒸気弁蓋２３及び位置制限部材２４を含む。
【００４１】
具体的には、蒸気弁蓋２３は蒸気弁座２２に設けられ且つ密封して接続される。蒸気弁蓋２３の外周縁に第１フック部２３２が形成される。
【００４２】
位置制限部材２４は蒸気弁座２２に回転可能に接続され、且つ第２フック部２４４を有する。第２フック部２４４は、第１フック部２３２と互いに係合する第２位置と、第１フック部２３２と互いに離間する第１位置との間で切り替え可能である。即ち、第２フック部２４４と第１フック部２３２は前記第１位置と前記第２位置との間で切り替え可能である。前記第２位置に位置する場合、第２フック部２４４は第１フック部２３２と互いに係合する。前記第１位置に位置する場合、第２フック部４４は第１フック部２３２と互いに離間する。それによって、位置制限部材２４を介して蒸気弁蓋２３と蒸気弁座２２との間の確実な接続を実現することができる。
【００４３】
本発明の実施例に係る調理器具用蓋１００であって、位置制限部材２４は蒸気弁座２２に回転可能に接続され且つ第２フック部２４４を有する。第２フック部２４４は、第１フック部２３２と互いに係合する第２位置と、第１フック部２３２と互いに離間する第１位置との間で切り替え可能である。それによって、位置制限部材２４を介して蒸気弁蓋２３と蒸気弁座２２との間の確実な接続を実現することができる。
【００４４】
本発明のいくつかの実施例によれば、位置制限部材２４と蒸気弁座２２の一方に回転軸が形成され、他方に回転軸とマッチングする回転軸孔２２４が形成される。位置制限部材２４は蒸気弁座２２の軸孔と嵌合する。前記回転軸と回転軸孔２２４の嵌合により、第２フック部２４４及び第１フック部２３２は前記第１位置と前記第２位置との間で容易に変換でき、蒸気弁蓋２３と蒸気弁座２２を容易に組み立てる。
【００４５】
例えば、位置制限部材２４に回転軸が形成され、且つ蒸気弁座２２に前記回転軸とマッチングする回転軸孔２２４が形成されてもよい。蒸気弁座２２に回転軸が形成され、且つ位置制限部材２４に前記回転軸とマッチングする回転軸孔２２４が形成されてもよい。
【００４６】
図５に示すとおり、本発明のいくつかの実施例によれば、蒸気弁蓋２３上に第１フック部２３２に隣接して設けられ且つ蒸気弁座２２の上面に対向する環状凹溝２３３が形成される。蒸気弁蓋２３と蒸気弁座２２を密封接続するように、環状凹溝２３３内にシールリブ２７が設けられる。つまり、蒸気弁蓋２３上に環状凹溝２３３が形成され、環状凹溝２３３は第１フック部２３２に隣接して設けられ、且つ環状凹溝２３３は蒸気弁座２２の上面に対向し（例えば、上下方向に対向する）、環状凹溝２３３内にシールリブ２７が設けられ、シールリブ２７を介して蒸気弁蓋２３と蒸気弁座２２を密封して接続し、調理器具の使用上の信頼性を向上させることができる。
【００４７】
さらに、図５に示すとおり、蒸気弁蓋２３の下面に下方に伸びる環状ビード２３４が形成される。環状ビード２３４と蒸気弁蓋２３の内周縁との間に環状凹溝２３３が画定される。即ち、蒸気弁蓋２３の下面に環状ビード２３４が形成され、環状ビード２３４は蒸気弁蓋２３の下面から下方に伸びることができる。環状ビード２３４と蒸気弁蓋２３の内周縁との間に環状凹溝２３３が画定される。このように、蒸気弁蓋２３と蒸気弁座２２との間の密封接続に有利な条件を提供する。
【００４８】
図３及び図５に示すとおり、本発明のいくつかの実施例によれば、位置制限部材２４はさらに本体部２４５及び弾性アーム２４６を含む。弾性アーム２４６は本体部２４５の一端に設けられ、且つ蒸気弁座２２に接続される。それによって、弾性アーム２４６の弾性変形により、蒸気弁蓋２３と蒸気弁座２２との確実な接続を容易に実現できる。
【００４９】
さらに、図３及び図５に示すとおり、蒸気弁座２２の外壁にリブ板２２５が形成される。前記第２位置に位置する弾性アーム２４６の自由端はリブ板２２５と当接する。さらに、リブ板２２５上に軸部１２１が設けられ、前記第２位置に位置する弾性アーム２４６の自由端は軸部１２１と当接する。それによって、軸部１２１を介して弾性アーム２４６をある程度で制限し、調理器具用蓋１００の構造をより合理的にすることができる。
【００５０】
本発明のいくつかの実施例では、位置制限部材２４と蒸気弁座２２との間にリセット部材（図示せず）が設けられてもよい。前記リセット部材は位置制限部材２４が前記第２位置から前記第１位置にリセットされるのに必要な力を提供することができる。それによって、第２フック部２４４と第１フック部２３２を前記第１位置と前記第２位置との間で容易に変換でき、蒸気弁蓋２３と蒸気弁座２２を容易に組み立てる。
【００５１】
以下に図２〜図５を参照しながら本発明の１つの実施例に係る調理器具用蓋１００の動作過程を説明する。
【００５２】
図２及び図３ではユーザが蒸気弁蓋２３又はシールリブ２７の取り付けを忘れる状況をシミュレーションする。位置制限部材２４は弾性アーム２４６と蒸気弁座２２により形成された弾性力の作用下で図示した位置に回転する。この場合、位置制限部材２４と蓋板２１は取り付け方向に互いに干渉し、所定の位置に取り付けられず、そのため、ユーザは蓋を正常に閉じることができない。ユーザが蓋板アセンブリ２０を洗浄する際に、ユーザが蒸気弁蓋２３又はシールリブ２７の取り付けを忘れることを効果的に防止し、使用上の安全性を向上させ、且つ追加の部品が必要ではなく、構造が簡潔である。
【００５３】
図４及び図５では、蒸気弁蓋２３及びシールリブ２７がいずれも正常に組み立てられた場合、位置制限部材２４の第２フック部２４４は蒸気弁蓋２３の第１フック部２３２と係合し、図示された位置に保持される。この場合、位置制限部材２４と蓋板２１は取り付け方向に互いに干渉せず、所定の位置に取り付けられ、蓋を正常に閉じることができる。それによって、本発明の実施例に係る調理器具用蓋１００の動作過程を完了する。
【００５４】
本発明の実施例に係る調理器具用蓋１００であって、使用中に、ユーザが調理器具用蓋１００を洗浄した後に蒸気弁蓋２３又はシールリブ２７の取り付けを忘れることによる作業中の蒸気漏れ又は重湯のこぼれを防止する。調理器具用蓋１００が調理器具２００に用いられた場合、調理器具２００の使用上の安全性を向上させることができる。
【００５５】
以下に図６〜１７を参照しながら本発明のもう１つの実施例に係る調理器具用蓋１００を説明する。
【００５６】
本発明のいくつかの実施例によれば、蓋板アセンブリ２０はさらに弾性部材２５を含むことができる。位置制限部材２４を第１位置へ移動駆動するように、弾性部材２５は位置制限部材２４に接続され、図１３に示すとおりである。蒸気弁蓋２３が蒸気出口２２０にカバーされた場合、位置制限部材２４を第２位置にするように、蒸気弁蓋２３は位置制限部材２４に接続され、図９に示すとおりである。
【００５７】
即ち、蒸気弁蓋２３が蒸気出口２２０に敷設されていないと、位置制限部材２４は弾性部材２５の駆動により第１位置に移動することができる。蒸気弁蓋２３が所定の位置に取り付けられた場合、蒸気弁蓋２３は位置制限部材２４に接続され、蒸気弁蓋２３と位置制限部材２４との嵌合によって弾性部材２５の駆動力に抵抗することができるため、位置制限部材２４は第２位置に安定的に配置される。弾性部材２５の存在により、手作業なしで位置制限部材２４を第１位置に移動させることが可能である。また、位置制限部材２４を第１位置に安定的に配置できる。同時に、蒸気弁蓋２３と位置制限部材２４との嵌合によって弾性部材２５の弾性力に抵抗することができる。他の部材を設置する必要がなく、構造はより簡潔である。
【００５８】
ここで、位置制限部材２４と蒸気弁蓋２３の接続構造は特に限定されておらず、当業者であれば、具体的な必要に応じて柔軟に設置することができる。必要に応じて、図９及び図１１に示すとおり、位置制限部材２４上に第１係合部２４０が設けられてもよい。蒸気弁蓋２３上に第２係合部２３１が設けられてもよい。蒸気弁蓋２３が蒸気出口２２０をカバーした場合、第１係合部２４０は第２係合部２３１と互いに係合することができる。それにより、蒸気弁蓋２３を位置制限部材２４に係合して接続することができる。着脱しやすいだけでなく、接続が確実である。本発明の実施例では、第１係合部２４０と第２係合部２３１の具体的な構造は特に限定されておらず、嵌合により係合可能な任意の構造であってもよい。
【００５９】
例えば、本発明のいくつかの実施例では、第１係合部２４０に係合溝が形成され、第２係合部２３１は係合フックである。蒸気弁蓋２３の全体的な構造への影響を低減するように、係合フックが蒸気弁蓋２３の縁に設けられる。係合フックが係合溝内に係合されることによって、蒸気弁蓋２３と位置制限部材２４との係合を実現し、係合効果に優れる。図１１に示すとおり、係合溝と互いに係合するために、第２係合部２３１の端部は曲げて設けられる。必要に応じて、第２係合部２３１の強度を強化するために、その両側に補強板が設けられてもよい。
【００６０】
本発明のいくつかの実施例によれば、蓋板アセンブリ２０はさらに位置決め部材２６を含むことができる。図７及び図９に示すとおり、位置決め部材２６は蒸気弁座２２に接続されてもよい。位置制限部材２４が第１位置に位置する場合、弾性部材２５と位置決め部材２６との間に当接することができる。それによって、位置決め部材２６及び弾性部材２５を介して位置制限部材２４の位置を共同で位置決めすることによって、位置制限部材２４を第１位置に安定的で正確に配置し、より確実なポカよけ効果を実現することができる。
【００６１】
理解されるように、位置決め部材２６が蒸気弁座２２のみに接続されることが限定されるものではなく、蓋板２１に接続されてもよいし、蒸気弁座２２及び蓋板２１に同時に接続されてもよい。即ち、本発明の実施例では、位置決め部材２６は蒸気弁座２２及び蓋板２１の少なくとも１つに接続されてもよい。
【００６２】
本発明の実施例では、位置制限部材２４は第１位置と第２位置との間で回転可能である。即ち、位置制限部材２４は第１位置から第２位置に回転することができ、また第２位置から第１位置に回転することもでき、位置の切り替えは容易でスムーズである。位置制限部材２４が切り替えられる回転角度に特別に限定されていない。例えば、位置制限部材２４が第１位置に位置する場合、蓋板２１と略平行であってもよい。位置制限部材２４が第２位置に位置する場合、蓋板２１と略垂直であってもよい。この場合、位置制限部材２４の回転角度は約９０度であり、操作性及び識別性に優れる。
【００６３】
なお、位置制限部材２４を第１位置と第２位置との間で切り替える方法は回転に限定されず、並進運動などの他の移動方法であってもよい。当業者であれば、具体的な構造に応じて位置制限部材の移動方法を柔軟に設定することができる。以下、図面を例として位置制限部材２４の回転を実現する構造をさらに詳しく説明する。
【００６４】
図１０〜図１７に示すとおり、位置制限部材２４は軸ロッド２４３と軸孔２２２との嵌合によって柔軟で確実に回転することができる。必要に応じて、位置制限部材２４上に軸ロッド２４３が設けられてもよく、軸孔２２２が設けられてもよい。弾性部材２５は軸ロッド２４３に嵌設されたねじりバネであってもよい。それによって、ねじりバネ構造を単独で設置する必要がなく、ねじりバネの取り付けが確実であり、且つ構造がコンパクトである。
【００６５】
図１７に示すとおり、ねじりバネは第１支持アーム２５１及び第２支持アーム２５２を有する。第１支持アーム２５１は位置制限部材２４と当接し、第２支持アーム２５２は蒸気弁座２２と当接することができ、図１２に示すとおりである。それによって、ねじりバネは、位置制限部材２４にねじり力を加えることができる。位置制限部材２４が第１位置に移動する間に、ねじりバネは徐々に緩めることができる。位置制限部材２４が第２位置に移動する間に、ねじりバネを徐々に締めることができる。
【００６６】
さらに、図１４及び図１５に示すとおり、蒸気弁座２２に凹溝２２３が設けられ、第２支持アーム２５２は凹溝２２３内に係合されてもよい。それによって、ねじりバネをより正確に取り付けると同時に、第２支持アーム２５２が位置制限部材２４の回転中に変位することを防止し、位置制限部材２４に対するねじりバネの駆動効果を向上させることができる。
【００６７】
代替的な実施形態として、第２支持アーム２５２はさらに蓋板２１に当接することができ、ねじりバネの位置制限部材２４への駆動を実現することができる。また、第２支持アーム２５２を係合するように、蓋板２１にも凹溝２３３が設けられる。必要に応じて、容易に組み立てるために、第１支持アーム２５１の長さは第２支持アーム２５２の長さよりも長くてもよい。
【００６８】
また、本発明の実施例では、弾性部材２５はねじりバネに限定されるものではなく、引張バネ又は板バネなどの他のタイプの弾性構造であってもよい。これは当業者にとって理解できるため、これ以上説明しない。
【００６９】
以下、位置制限部材２４の構造をさらに説明する。図１３〜図１６に示すとおり、位置制限部材２４は主体部２４１及び接続脚２４２を含むことができる。主体部２４１は蓋板２１をストップすることができる。また、蒸気弁蓋２３は主体部２４１に接続されてもよい。蒸気弁蓋２３との係合を実現するように、第１係合部２４０は主体部２４１に設けられる。主体部２４１は略板状構造に形成されてもよい。第１係合部２４０は板状構造の側面に設けられてもよい。
【００７０】
本実施例では、位置制限部材２４は蒸気弁座２２に設けられ、接続脚２４２は蒸気弁座２２に接続される。位置制限部材２４が蓋板２１に回転可能に設けられるいくつかの実施例では、接続脚２４２は蓋板２１に接続されてもよい。第１支持アーム２５１は接続脚２４２に引っ掛けられてもよい。それによって、接続脚２４２と蒸気弁座２２を接続する時の確実性を向上させ、ねじりバネの回転中に第１支持アーム２５１が位置制限部材２４から外れることを防止することができる。
【００７１】
必要に応じて、接続脚２４２は２つあってもよい。位置制限部材２４をより確実に取り付け、より安定的に回転させるように、各接続脚２４２上にそれぞれ軸ロッド２４３にはが配置される。図１０〜図１５に示すとおり、蒸気弁座２２の外側面に取り付け部２２１が設けられ、軸孔２２２は取り付け部２２１上に設けられてもよい。軸ロッド２４３は位置制限部材２４に設けられ、ねじりバネの少なくとも１つのコイルばね２５３は軸孔２２２に設けられてもよい。それによって、構造の強度を高め、構造をよりコンパクトにすることができる。必要に応じて、図１５に示すとおり、位置決め部材２６は取り付け部２２１に接続されてもよい。また、位置決め部材２６及び取り付け部２２１はいずれも蒸気弁座２２の片側の外側面に設けられてもよい。
【００７２】
図６〜図９に示すとおり、蓋本体１０の内側面に取り付け溝１１が設けられてもよい。蒸気弁蓋２３及び蒸気弁座２２は取り付け溝１１内に伸びることができる。必要に応じて、蒸気弁蓋２３及び蒸気弁座２２の上部は取り付け溝１１内に完全に位置することができる。位置制限部材２４が第１位置に位置する場合、蓋板２１の取り付けをストップするように、取り付け溝１１の縁と当接する。また、第２位置に位置する場合、蓋板２１の取り付け中に、それは蓋本体１０と干渉しない。
【００７３】
即ち、位置制限部材２４は第１位置に位置する場合、取り付け溝１１の縁と当接する。例えば、図７に示すとおり、位置制限部材２４は蓋板２１と略平行な位置に位置するため、蓋板２１の蓋本体１０への取り付けと干渉し、蓋板２１を所定の位置に取り付けることができない。位置制限部材２４が第２位置に位置する場合、位置制限部材２４は取り付け溝１１の縁と当接しなくなる。例えば、図９に示すとおり、位置制限部材２４は蓋板２１２１と略垂直な位置に位置し、取り付け溝１１の内部領域に位置合わせされてもよい。それにより、蓋板２１の取り付け中に、蓋本体１０と干渉せず、蓋板２１を所定の位置に取り付けることができる。蓋板２１が所定の位置に取り付けられた場合、位置制限部材２４は取り付け溝１１内に位置してもよい。
【００７４】
上記構造は、取り付け溝１１の縁と位置制限部材２４との嵌合によって蓋板２１をストップし、また位置制限部材２４が蓋板２１に取り付けられた後に内蔵され、ストップ効果に優れるだけでなく、構造がコンパクトである。
【００７５】
以下に図６〜図１７を参照しながら本発明のもう１つの具体的な実施例に係る調理器具用蓋１００の組み立てを簡単に説明する。
【００７６】
ここで、図６に示す前後及び内外方向は、調理器具用蓋１００が通常動作時の調理器具の状態、即ち、調理器具用蓋１００が閉じられた時の方向を基準とする。調理器具用蓋１００が開けられた場合、容易に組み立てるために、調理器具用蓋１００の上部を上方に移動することによって、調理器具用蓋１００を略垂直にさせるか又は垂直位置に対して傾斜させる。これは当業者にとって理解し得る。
【００７７】
まず、蓋板アセンブリ２０を組み立てることができる。具体的には、蒸気弁座２２を蓋板２１に組み立てることができる。いくつかの実施例では、蒸気弁座２２は蓋板２１に一体成形され、特に組み立てる必要がない。位置制限部材２４を組み立てる時、まずねじりバネを軸ロッド２４３に嵌設してから、軸ロッド２４３を軸孔２２２に対応して取り付け、且つねじりバネの第１支持アーム２５１及び第２支持アーム２５２の位置を調整することによって、ねじりバネを所定の位置に当接させる。蒸気弁蓋２３を組み立てる時、蒸気弁蓋２３を蒸気弁座２２の蒸気出口２２０に位置合わせして取り付け、且つ第１係合部２４０と第２係合部２３１を係合することによって、蒸気弁蓋２３を固定する。取り付けが完了した状態は図１０及び図１１に示すとおり、この場合、位置制限部材２４は蓋板２１に略垂直な第１位置まで移動する。
【００７８】
図８に示すとおり、蓋板アセンブリ２０を蓋本体１０の内蓋に取り付ける時、蓋板アセンブリ２０の後部を取り付け溝１１内に当接させ、その後、蓋板アセンブリ２０を回転させて、蓋板アセンブリ２０の前部を蓋本体１０に徐々に近づけることができる。位置制限部材２４が第１位置で取り付け溝１１の縁と当接することはないため、蓋板アセンブリ２０はストップされることなくスムーズに回転することができる。図８及び図９に示すとおり、蓋板アセンブリ２０の回転につれて、位置制限部材２４は取り付け溝１１内に移動することができる蓋板アセンブリ２０が所定の位置まで回転すると、位置制限部材２４は取り付け溝１１内に完全に入ることができる。蓋板アセンブリ２０を固定するために、蓋板２１は蓋本体１０に係合して接続されてもよい。
【００７９】
蒸気弁蓋２３の取り付けが忘れた場合、位置制限部材２４はねじりバネの作用下で位置決め部材２６に当接して、蓋板２１と略平行な位置に位置する。例えば、図７及び図１３に示すとおり、蓋板アセンブリ２０の後端が取り付け溝１１内に当接した後、蓋板アセンブリ２０が特定の角度で回転する時、位置制限部材２４は取り付け溝１１の縁と当接し、図７に示すとおり、この場合、蓋板アセンブリ２０は回転し続けず、所定の位置に配置できず、操作者は、蒸気弁蓋２３が取り付けられていないことに気づき、取り付け忘れポカよけ機能を実現する。
【００８０】
本発明の第２態様の実施例に係る調理器具２００であって、鍋本体２１０と調理器具用蓋とを含む。前記調理器具用蓋は前記鍋本体２１０に敷設された上記調理器具用蓋１００である。それによって、調理器具２００に上記調理器具用蓋１００を配置することによって、調理器具２００の使用上の安全性、製品の市場競争力を向上させることに役立つ。
【００８１】
本発明の実施例に係る調理器具は、本発明の実施例に係る調理器具用蓋１００を含む。必要に応じて、調理器具は炊飯器などであってもよい。本発明の実施例に係る調理器具用蓋１００が上記有益な技術的効果を有するため、本発明の実施例に係る調理器具は蒸気弁蓋２３の取り付け忘れを効果的に避けることができる。
【００８２】
本発明の実施例に係る調理器具及び調理器具用蓋１００の他の構造及び操作は、当業者にとって既知であり、ここで詳しく説明しない。
【００８３】
本明細書の説明においては、参照用語「一実施例」、「いくつかの実施例」、「例」、「具体的な例」、又は「いくつかの例」などの説明は、該実施例又は例を参照しながら説明した特定の性質、構造、材料又は特徴が、本発明の少なくとも一実施例又は例に含まれることを意味している。本明細書において、上記用語の模式的な表現は同じ実施例又は例に、必ずしも言及しているというわけではない。また、説明した特定の性質、構造、材料又は特徴は任意の１つ又は複数の実施例又は例において、適切な方法で組み合わせてもよい。また、矛盾しない限り、当業者であれば、本明細書に記載の異なる実施例又は例及び異なる実施例又は例の特徴を組み合わせることができる。
【００８４】
以上、本発明の実施例を例示して説明したが、上記実施例は例示的なものであり、本発明を限定するものとして理解されるべきではない。当業者であれば、本発明の範囲内で上記実施例に対して変形、修正、置換、及び変形を行うことができる。
【符号の説明】
【００８５】
１００  調理器具用蓋
１０  蓋本体
１１  取り付け溝
２０  蓋板アセンブリ
２１  蓋板
２２  蒸気弁座
２２０  蒸気出口
２２１  取り付け部
２２２  軸孔
２２３  凹溝
２２４  回転軸孔
２２５  リブ板
２２６  軸部
２３  蒸気弁蓋
２３１  第２係合部
２３２  第１フック部
２３３  環状凹溝
２３４  環状ビード
２４  位置制限部材
２４０  第１係合部
２４１  主体部
２４２  接続脚
２４３  軸ロッド
２４４  第２フック部
２４５  本体部
２４６  弾性アーム
２５  弾性部材
２５１  第１支持アーム
２５２  第２支持アーム
２５３  コイルばね
２６  位置決め部材
２７  シールリブ
２００  調理器具
【図１】
0006890686.tif 000002
【図２】
0006890686.tif 000003
【図３】
0006890686.tif 000004
【図４】
0006890686.tif 000005
【図５】
0006890686.tif 000006
【図６】
0006890686.tif 000007
【図７】
0006890686.tif 000008
【図８】
0006890686.tif 000009
【図９】
0006890686.tif 000010
【図１０】
0006890686.tif 000011
【図１１】
0006890686.tif 000012
【図１２】
0006890686.tif 000013
【図１３】
0006890686.tif 000014
【図１４】
0006890686.tif 000015
【図１５】
0006890686.tif 000016
【図１６】
0006890686.tif 000017
【図１７】
0006890686.tif 000018